(57)【要約】【課題】無線信号を受信するときの所要時間を短縮することができる地上デジタル放送受信機、アンテナ切り換え方法、および、プログラムを提供する。【解決手段】地上デジタル放送受信機（１）は、無線信号を電波により受信可能な複数のアンテナ（２、３）と、複数のアンテナ（２、３）の中から１つのアンテナに切り換える切換部（６）と、自身の位置を示す位置情報を取得する位置取得部（１２）と、番組の視聴、録画の少なくとも１つが行われるときに最初に使用するアンテナを位置情報に応じて切り換えるように切換部（６）を制御する第１アンテナ切換制御部（２１）と、を具備する。【選択図】図１
2014060468.tif 000002
【特許請求の範囲】
【請求項１】
無線信号を電波により受信可能な複数のアンテナと、
前記複数のアンテナの中から１つのアンテナに切り換える切換部と、
自身の位置を示す位置情報を取得する位置取得部と、
番組の視聴、録画の少なくとも１つが行われるときに最初に使用するアンテナを前記位置情報に応じて切り換えるように前記切換部を制御する第１アンテナ切換制御部と、
を具備することを特徴とする地上デジタル放送受信機。
【請求項２】
前記切換部により切り換えられたアンテナが無線信号を受信したときの受信品質に応じて、そのアンテナを切り換えるように前記切換部を制御する第２アンテナ切換制御部、
をさらに具備することを特徴とする請求項１に記載の地上デジタル放送受信機。
【請求項３】
前記第１アンテナ切換制御部は、
前記位置取得部により取得された最新の前記位置情報を入力し、
複数の送信局から各々異なる偏波で送信された無線信号を受信するときに有利なアンテナを示す設定アンテナ情報と、前記有利なアンテナが前記偏波で送信された無線信号を受信することが可能なエリアを示す設定エリア情報とが記録された設定マップテーブルを参照し、
前記設定マップテーブルに記録された前記設定エリア情報の中から、前記最新の位置情報が示す位置が含まれる選択エリア情報を選択し、前記設定マップテーブルに記録された前記設定アンテナ情報が示すアンテナのうちの、前記選択エリア情報に対応するアンテナに切り換えるように前記切換部を制御する、
ことを特徴とする請求項１または２に記載の地上デジタル放送受信機。
【請求項４】
前記第１アンテナ切換制御部は、
前記位置取得部により取得された最新の前記位置情報を入力し、
前記切換部により切り換えられたアンテナを示す実績アンテナ情報と、前記切換部により切り換えられたアンテナが無線信号を受信したときに前記位置取得部により取得された前記位置情報である実績位置情報とが記録される実績マップテーブルを参照し、
前記実績マップテーブルに記録された前記実績位置情報の中から、前記最新の位置情報が示す位置に最も近い位置を示す選択実績位置情報を選択し、前記実績マップテーブルに記録された前記実績アンテナ情報が示すアンテナのうちの、前記選択実績位置情報に対応するアンテナに切り換えるように前記切換部を制御する、
ことを特徴とする請求項１または２に記載の地上デジタル放送受信機。
【請求項５】
前記第１アンテナ切換制御部は、
前記実績マップテーブルに記録された前記実績位置情報の中から、前記最新の位置情報が示す位置に最も近い位置である前記選択実績位置情報を選択したときに、前記最新の位置情報が示す位置と前記選択実績位置情報が示す位置との間の距離である算出距離を算出し、
前記算出距離が設定距離以下である場合、前記実績マップテーブルに記録された前記実績アンテナ情報が示すアンテナのうちの、前記選択実績位置情報に対応するアンテナに切り換えるように前記切換部を制御し、
前記算出距離が設定距離よりも長い場合、前記複数のアンテナのうちの、予め設定されたアンテナに切り換えるように前記切換部を制御する、
ことを特徴とする請求項４に記載の地上デジタル放送受信機。
【請求項６】
前記第１アンテナ切換制御部は、
前記算出距離が設定距離よりも長い場合、複数の送信局から各々異なる偏波で送信された無線信号を受信するときに有利なアンテナを示す設定アンテナ情報と、前記有利なアンテナが前記偏波で送信された無線信号を受信することが可能なエリアを示す設定エリア情報とが記録された設定マップテーブルを参照し、
前記設定マップテーブルに記録された前記設定エリア情報の中から、前記最新の位置情報が示す位置が含まれる選択エリア情報を選択し、前記設定マップテーブルに記録された前記設定アンテナ情報が示すアンテナのうちの、前記選択エリア情報に対応するアンテナに切り換えるように前記切換部を制御する、
ことを特徴とする請求項５に記載の地上デジタル放送受信機。
【請求項７】
無線信号を電波により受信可能な複数のアンテナの中から１つのアンテナに切り換える切換部を具備する地上デジタル放送受信機を用いたアンテナ切り換え方法であって、
自身の位置を示す位置情報を取得するステップと、
番組の視聴、録画の少なくとも１つが行われるときに最初に使用するアンテナを前記位置情報に応じて切り換えるように前記切換部を制御するステップと、
を具備することを特徴とする地上デジタル放送受信機を用いたアンテナ切り換え方法。
【請求項８】
請求項７に記載のアンテナ切り換え方法の各ステップを放送受信機に実行させるためのプログラム。
【発明の詳細な説明】
【技術分野】
【０００１】
本発明は、送信局から偏波で送信された無線信号を受信する地上デジタル放送受信機、アンテナ切り換え方法、および、プログラムに関する。
【背景技術】
【０００２】
地上デジタル放送では、送信局によって水平偏波／垂直偏波のいずれかで無線信号を送信するかは決まっている。水平偏波で送信された無線信号を受信するときはホイップアンテナ等が有利であり、垂直偏波で送信された無線信号を受信するときはイヤホンアンテナ等が有利である。
【０００３】
地上デジタル放送受信機は、ホイップアンテナとイヤホンアンテナとの２つのアンテナを備えることにより、水平偏波／垂直偏波で送信される無線信号を受信することができる。これにより、無線信号の受信品質が良好であるほうの偏波をリアルタイムで選択する偏波ダイバーシチを採用することができる。
【０００４】
特許文献１に記載された技術では、ホイップアンテナとイヤホンアンテナとの２つのアンテナと、２つのアンテナのうちの１つのアンテナに切り換える切換部と、切換部により切り換えられたアンテナである使用中のアンテナが無線信号を受信したときの受信品質に応じて、使用中のアンテナを切り換えるように切換部を制御する制御部とを具備している。この技術は、アンテナにより受信された無線信号から視聴者の所望のチャンネルを選択可能なチューナモジュールが１つしかない地上デジタル放送受信機に適用される。
【０００５】
特許文献２には、ホイップアンテナとイヤホンアンテナとの２つのアンテナを具備し、水平偏波／垂直偏波で送信された無線信号を２つのアンテナより同時に受信し、水平偏波／垂直偏波で送信された無線信号の受信品質を比較し、その比較結果により受信品質が良好であるほうの偏波を選択する無線中継装置が記載されている。
【先行技術文献】
【特許文献】
【０００６】
【特許文献１】特開２００８−１９３３８４号公報
【特許文献２】特開２０１０−２８８０５７号公報
【発明の概要】
【発明が解決しようとする課題】
【０００７】
特許文献１に記載された技術では、チューナモジュールが１つしかない地上デジタル放送受信機に適用される場合、複数のアンテナが無線信号を受信したときの受信品質を確認するために、各アンテナを切り換える必要がある。そのため、最初に使用するアンテナにより無線信号を受信したときの受信品質が良好ではない場合はそのアンテナを切り換えるが、アンテナを切り換える分だけ無線信号を受信するときの所要時間が長くなってしまう。
【０００８】
特許文献２に記載された技術では、チューナモジュールが１つしかない地上デジタル放送受信機には適用できない。
【０００９】
本発明は、上記の点に鑑みてなされたものであり、無線信号を受信するときの所要時間を短縮することができる地上デジタル放送受信機、アンテナ切り換え方法、および、プログラムを提供することを目的とする。
【課題を解決するための手段】
【００１０】
本発明の地上デジタル放送受信機は、無線信号を電波により受信可能な複数のアンテナと、前記複数のアンテナの中から１つのアンテナに切り換える切換部と、自身の位置を示す位置情報を取得する位置取得部と、番組の視聴、録画の少なくとも１つが行われるときに最初に使用するアンテナを前記位置情報に応じて切り換えるように前記切換部を制御する第１アンテナ切換制御部と、を具備することを特徴とする。
【００１１】
本発明の地上デジタル放送受信機を用いたアンテナ切り換え方法は、無線信号を電波により受信可能な複数のアンテナの中から１つのアンテナに切り換える切換部を具備する地上デジタル放送受信機を用いたアンテナ切り換え方法であって、自身の位置を示す位置情報を取得するステップと、番組の視聴、録画の少なくとも１つが行われるときに最初に使用するアンテナを前記位置情報に応じて切り換えるように前記切換部を制御するステップと、を具備することを特徴とする。
【００１２】
本発明のプログラムは、上記アンテナ切り換え方法の各ステップを地上デジタル放送受信機に実行させる。
【発明の効果】
【００１３】
本発明によれば、無線信号を受信するときの所要時間を短縮することができる。
【図面の簡単な説明】
【００１４】
【図１】本発明の第１実施形態に係る地上デジタル放送受信機の構成を示す概略ブロック図である。
【図２】本発明の第１実施形態に係る地上デジタル放送受信機の設定マップテーブルに記録される情報の一例を示す図である。
【図３】図２に示す情報を模式的に表した図である。
【図４】本発明の第１実施形態に係る地上デジタル放送受信機の動作（アンテナ切り換え方法）として、視聴者が番組を視聴するときの動作を示すフローチャートである。
【図５】本発明の第２実施形態に係る地上デジタル放送受信機の構成を示す概略ブロック図である。
【図６】本発明の第２実施形態に係る地上デジタル放送受信機の実績マップテーブルに記録される情報の一例を示す図である。
【図７】図６に示す情報を模式的に表した図である。
【図８】図７のエリア重複部分の拡大図である。
【図９】本発明の第２実施形態に係る地上デジタル放送受信機の動作（アンテナ切り換え方法）として、視聴者が番組を視聴するときの動作を示すフローチャートである。
【図１０】本発明の第２実施形態に係る地上デジタル放送受信機の動作（アンテナ切り換え方法）として、視聴者が番組を視聴しているときの動作を示すフローチャートである。
【図１１】本発明の第３実施形態に係る地上デジタル放送受信機の構成を示す概略ブロック図である。
【図１２】本発明の第３実施形態に係る地上デジタル放送受信機の動作（アンテナ切り換え方法）として、視聴者が番組を視聴するときの動作を示すフローチャートである。
【発明を実施するための形態】
【００１５】
以下、図面を参照しながら本発明の実施形態について説明する。本実施形態に係る地上デジタル放送受信機は、携帯電話機、スマートフォン、カーナビゲーションなどに適用される。
【００１６】
［第１実施形態］
図１は、本発明の第１実施形態に係る地上デジタル放送受信機１の構成を示す概略ブロック図である。
【００１７】
図１に示されるように、第１実施形態に係る地上デジタル放送受信機１は、複数のアンテナ２、３と、コネクタ４、５と、切換部６と、チューナモジュール７と、番組出力部８と、メモリ９と、制御部１０と、操作部１１と、位置取得部１２と、表示部１３と、スピーカ１４と、を具備している。
【００１８】
複数のアンテナ２、３は無線信号を電波により受信可能である。複数のアンテナ２、３のうちのアンテナ２はホイップアンテナであり、アンテナ３はイヤホンアンテナである。地上デジタル放送では、送信局によって水平偏波／垂直偏波のいずれかで無線信号を送信するかは決まっている。水平偏波で送信された無線信号を受信するときはホイップアンテナ２が有利であり、垂直偏波で送信された無線信号を受信するときはイヤホンアンテナ３が有利である。
【００１９】
ホイップアンテナ２、コネクタ５、切換部６、チューナモジュール７、番組出力部８、メモリ９、制御部１０、操作部１１、位置取得部１２、表示部１３、スピーカ１４は、地上デジタル放送受信機本体に設けられ、切換部６は、ホイップアンテナ２とコネクタ５とに接続されている。コネクタ４は、イヤホンアンテナ３に設けられ、コネクタ５に接続可能である。
【００２０】
制御部１０は切換部６、チューナモジュール７、番組出力部８、メモリ９、操作部１１、位置取得部１２に対して制御を行う。制御部１０は、例えばＣＰＵ（Ｃｅｎｔｒａｌ  Ｐｒｏｃｅｓｓｉｎｇ  Ｕｎｉｔ）等から構成されている。
【００２１】
切換部６は、ホイップアンテナ２、イヤホンアンテナ３のうちの１つのアンテナに切り換える。チューナモジュール７は、切換部６が切り換えたアンテナにより受信された無線信号から視聴者の所望のチャンネルを、視聴者による操作部１１の操作に応じて選択可能である。チューナモジュール７は、送信局から放送波により番組を受信して放送ＴＳ（Ｔｒａｎｓｐｏｒｔ  Ｓｔｒｅａｍ）に変換する。番組出力部８は、デマルチプレクサ部（Ｄｅｍｕｘ）と映像デコード部と音声デコード部とを備えている。デマルチプレクサ部は、チューナモジュール７から出力された放送ＴＳを映像ＥＳ（Ｅｌｅｍｅｎｔｒｙ  Ｓｔｒｅａｍ）と音声ＥＳとに分離する。映像デコード部は、デマルチプレクサ部から出力された映像ＥＳをデコードし、受信番組の映像を表す映像データとして表示部１３に表示する。音声デコード部は、デマルチプレクサ部から出力された音声ＥＳをデコードし、受信番組の音声を表す音声データとしてスピーカ１４に出力する。表示部１３としては、ＬＣＤ（Ｌｉｑｕｉｄ  Ｃｒｙｓｔａｌ  Ｄｉｓｐｌａｙ）が例示される。
【００２２】
操作部１１は、視聴者に操作されるＵＩ（Ｕｓｅｒ  Ｉｎｔｅｒｆａｃｅ）である。操作部１１は、番組の視聴、録画の少なくとも１つが行われる起動イベントを発生するための起動イベント操作部１５を含んでいる。位置取得部１２は、例えばＧＰＳ（Ｇｌｏｂａｌ  Ｐｏｓｉｔｉｏｎｉｎｇ  Ｓｙｓｔｅｍ）を利用して自身の位置を計測することにより位置情報を取得する。位置情報を取得する手段としてはＧＰＳに限定されずに、位置取得部１２は、例えばＷｉ−Ｆｉを利用したサービスにより位置情報を取得してもよい。位置情報は、緯度・経度により表される。
【００２３】
制御部１０は、起動イベントにより起動される第１アンテナ切換制御部２１、受信品質確認部２２、第２アンテナ切換制御部２３を備えている。
【００２４】
第１アンテナ切換制御部２１は、起動イベントが発生したときに、最初に使用するアンテナを位置情報に応じて切り換えるように切換部６を制御する。
【００２５】
受信品質確認部２２は、切換部６により切り換えられたアンテナである使用中のアンテナ（ホイップアンテナ２またはイヤホンアンテナ３）が無線信号を受信したときの受信品質を確認する。受信品質としては、例えば搬送波対雑音比（ＣＮ比）、ビット誤り率（ＢＥＲ）、パケット誤り率（ＰＥＲ）、信号受信強度（ＲＳＳＩ）等が挙げられる。例えば受信品質がＣＮ比である場合、ＣＮ比の値がＣＮ比の設定値を超えている場合、受信品質が良好である。例えば受信品質がＢＥＲ、ＰＥＲである場合、ＢＥＲ、ＰＥＲの値がそれぞれＢＥＲ、ＰＥＲの設定値を超えていない場合、受信品質が良好である。例えば受信品質がＲＳＳＩである場合、ＲＳＳＩの値が設定範囲内にある場合、受信品質が良好である。
【００２６】
第２アンテナ切換制御部２３は、受信品質が良好ではない場合、使用中のアンテナ（ホイップアンテナ２またはイヤホンアンテナ３）を切り換えるように切換部６を制御する。
【００２７】
メモリ９は、設定マップテーブル３０を備えている。図２は、本発明の第１実施形態に係る地上デジタル放送受信機１の設定マップテーブル３０に記録される情報の一例を示す図である。図３は、図２に示す情報を模式的に表した図である。
【００２８】
図２に示されるように、設定マップテーブル３０には設定アンテナ情報３１、３２が記録されている。設定アンテナ情報３１は、送信局１０１（図３参照）から水平偏波で送信された無線信号を受信するときに有利なアンテナとして、ホイップアンテナ２を示し、設定アンテナ情報３２は、送信局１０２（図３参照）から垂直偏波で送信された無線信号を受信するときに有利なアンテナとして、イヤホンアンテナ３を示している。
【００２９】
設定マップテーブル３０には、設定アンテナ情報３１、３２に対応付けて、それぞれ設定エリア情報３３、３４が記録されている。設定エリア情報３３は、ホイップアンテナ２が水平偏波で送信された無線信号を受信することが可能なエリアを示し、設定エリア情報３４は、イヤホンアンテナ３が垂直偏波で送信された無線信号を受信することが可能なエリアを示している。設定エリア情報３３、３４は、緯度の範囲と経度の範囲とにより表され、例えば通信事業者、端末メーカ等により設定される。
【００３０】
図４は、本発明の第１実施形態に係る地上デジタル放送受信機１の動作（アンテナ切り換え方法）として、視聴者が番組を視聴するときの動作を示すフローチャートである。
【００３１】
図４に示されるように、視聴者は、番組を視聴するときに、起動イベント操作部１５を操作して、第１アンテナ切換制御部２１を起動させるための起動イベントを発生させる（受信起動）。この起動イベントにより第１アンテナ切換制御部２１、受信品質確認部２２、第２アンテナ切換制御部２３が起動する。
【００３２】
起動イベントは、視聴以外にも録画予約等によっても発生する場合がある。この場合、制御部１０は、録画予約の機能を有し、視聴者は、起動イベント操作部１５を操作して、制御部１０に対して番組の録画予約を行う。制御部１０は、番組の録画を開始するときに、第１アンテナ切換制御部２１を起動させるための起動イベントを発生させる。
【００３３】
第１アンテナ切換制御部２１は、起動イベントが発生したときに位置取得部１２により取得された位置情報である起動時位置情報を入力する（ステップＳ１）。ここで、本実施形態では、起動イベントが発生したときに位置情報（起動時位置情報）を取得しているが、位置情報の取得は時間がかかるため、ステップＳ１において、位置取得部１２がＧＰＳにより定期的に位置情報を取得したり、Ｗｉ−Ｆｉの使用により位置情報を取得したりしたときに、第１アンテナ切換制御部２１は、位置取得部１２により取得された最新の位置情報を起動時位置情報として入力してもよい。
【００３４】
次に、第１アンテナ切換制御部２１は、設定マップテーブル３０を参照する。第１アンテナ切換制御部２１は、設定マップテーブル３０に記録された設定エリア情報３３、３４の中から、起動時位置情報が示す位置が含まれる設定エリア情報である選択エリア情報を選択し、設定マップテーブル３０に記録された設定アンテナ情報３１、３２が示すアンテナのうちの、選択エリア情報に対応するアンテナに切り換えるように切換部６を制御する（ステップＳ２）。
【００３５】
ステップＳ２において、選択エリア情報が設定エリア情報３３である場合、第１アンテナ切換制御部２１は、設定マップテーブル３０に記録された設定アンテナ情報３１、３２が示すアンテナのうちの、設定エリア情報３３に対応するホイップアンテナ２に切り換えるように切換部６を制御する。すなわち、切換部６は、最初に使用するアンテナとして、ホイップアンテナ２に切り換える。選択エリア情報が設定エリア情報３４である場合、第１アンテナ切換制御部２１は、設定マップテーブル３０に記録された設定アンテナ情報３１、３２が示すアンテナのうちの、設定エリア情報３４に対応するイヤホンアンテナ３に切り換えるように切換部６を制御する。すなわち、切換部６は、最初に使用するアンテナとして、イヤホンアンテナ３に切り換える。
【００３６】
切換部６は、ホイップアンテナ２、イヤホンアンテナ３のうちの、ステップＳ２により選択されたアンテナに切り換える。切換部６により切り換えられたアンテナである使用中のアンテナ（ホイップアンテナ２またはイヤホンアンテナ３）は受信信号の受信を開始する（ステップＳ３）。
【００３７】
受信品質確認部２２は、使用中のアンテナが無線信号を受信したときの受信品質を確認する（ステップＳ４）。
【００３８】
ここで、ステップＳ１〜Ｓ４がこの順で連続的に行われているが、必ずしもステップＳ１〜Ｓ４の順で行われる必要はなく、受信品質の確認（ステップＳ４)までにアンテナの切替えが終了していればよい。例えば、起動イベントが発生したときに位置情報の取得とアンテナによる受信とを同時に行ってもよい。この場合、第１アンテナ切換制御部２１は、起動イベントが発生したときに、予め設定されたアンテナ（例えばホイップアンテナ２）に切り換えるように切換部６を制御する（ステップＳ３）と同時に、位置取得部１２により取得された最新の位置情報を入力し（ステップＳ１）、その位置情報に応じたアンテナを選択する（ステップＳ２）。そこで、予め設定されたアンテナが選択されたアンテナと同一のアンテナである場合に受信品質を確認し（ステップＳ４)、予め設定されたアンテナが選択されたアンテナと同一ではない場合、選択されたアンテナに切り換えるように切換部６を制御して（ステップＳ３）、受信品質を確認する（ステップＳ４)。起動イベントが発生したときに位置情報の取得とアンテナによる受信とを同時に行うため、予め設定されたアンテナが選択されたアンテナと同一のアンテナである場合、位置情報を取得するときの時間を短縮することができる。
【００３９】
また、位置情報の取得は時間がかかるため、例えば、常に位置情報の取得とアンテナの選択とを行い、起動イベントが発生したときに選択されたアンテナにより受信を行ってもよい。この場合、位置取得部１２がＧＰＳにより定期的に位置情報を取得したり、Ｗｉ−Ｆｉの使用により位置情報を取得したりしたときに、第１アンテナ切換制御部２１は、位置取得部１２により取得された最新の位置情報を入力し（ステップＳ１）、その位置情報に応じたアンテナを選択しておく（ステップＳ２）。この場合、第１アンテナ切換制御部２１は、ステップＳ１及びＳ２を行う機能と、ステップＳ３以降を行う機能とを有し、ステップＳ１及びＳ２を行う機能は、常に起動していて、ステップＳ３以降を行う機能は、起動イベントが発生したときに起動する。
【００４０】
受信品質確認部２２が受信品質を確認した結果、受信品質が良好である場合（ステップＳ５−Ｙｅｓ）、使用中のアンテナは受信信号の受信を続ける（受信状態）。
【００４１】
一方、受信品質が良好ではない場合（ステップＳ５−Ｎｏ）、第２アンテナ切換制御部２３は、使用中のアンテナであるホイップアンテナ２またはイヤホンアンテナ３の一方を他方に切り換えるように切換部６を制御する（ステップＳ６）。
【００４２】
受信品質確認部２２は、切換部６により切り換えられたアンテナである使用中のアンテナ（ホイップアンテナ２またはイヤホンアンテナ３）が無線信号を受信したときの受信品質を確認する（ステップＳ７）。
【００４３】
受信品質が良好ではない場合（ステップＳ８−Ｎｏ）、ステップＳ６以降が行われ、受信品質が良好である場合（ステップＳ８−Ｙｅｓ）、使用中のアンテナは受信信号の受信を続ける（受信状態）。
【００４４】
以上の説明により、第１実施形態に係る地上デジタル放送受信機１では、無線信号を電波により受信可能な複数のアンテナ（ホイップアンテナ２、イヤホンアンテナ３）と、複数のアンテナ（ホイップアンテナ２、イヤホンアンテナ３）の中から１つのアンテナに切り換える切換部（切換部６）と、自身の位置を示す位置情報を取得する位置取得部（位置取得部１２）と、番組の視聴、録画の少なくとも１つが行われる起動イベントが発生したときに最初に使用するアンテナを位置情報に応じて切り換えるように切換部６を制御する第１アンテナ切換制御部２１と、を具備している。このように、第１実施形態に係る地上デジタル放送受信機１では、最初に使用するアンテナを位置情報に応じて切り換えることにより、位置情報が示す位置が、水平偏波で送信された無線信号を受信することが可能なエリアに含まれている場合、水平偏波に有利なホイップアンテナ２に切り換えられ、その位置が、垂直偏波で送信された無線信号を受信することが可能なエリアに含まれている場合、垂直偏波に有利なイヤホンアンテナ３に切り換えられる。したがって、第１実施形態に係る地上デジタル放送受信機１によれば、上述のステップＳ６〜Ｓ８の処理回数を減らすことができる。すなわち、無線信号を受信するときの所要時間を従来よりも短縮することができる。
【００４５】
また、第１実施形態に係る地上デジタル放送受信機１では、切換部６により切り換えられたアンテナである使用中のアンテナ（ホイップアンテナ２またはイヤホンアンテナ３）が無線信号を受信したときの受信品質に応じて、使用中のアンテナを切り換えるように切換部６を制御する第２アンテナ切換制御部２３、をさらに具備している。このように、第１実施形態に係る地上デジタル放送受信機１では、最初に使用するアンテナを位置情報に応じて切り換えた後、使用中のアンテナを受信品質に応じて切り換える。したがって、第１実施形態に係る地上デジタル放送受信機１によれば、無線信号を受信するときの所要時間を従来よりも短縮することができる上に、送信局との相対位置やアンテナ角度の変化等による受信品質への影響を最小限に抑えることができる。
【００４６】
また、第１実施形態に係る地上デジタル放送受信機１では、第１アンテナ切換制御部２１は、起動イベントが発生したときに位置取得部１２により取得された位置情報である起動時位置情報を入力し、設定マップテーブル３０を参照する。設定マップテーブル３０には、複数の送信局１０１、１０２から各々異なる偏波（水平偏波、垂直偏波）で送信された無線信号を受信するときに有利なアンテナ（ホイップアンテナ２、イヤホンアンテナ３）を示す設定アンテナ情報３１、３２と、有利なアンテナが偏波（水平偏波、垂直偏波）で送信された無線信号を受信することが可能なエリアを示す設定エリア情報３３、３４とが記録されている。第１アンテナ切換制御部２１は、設定マップテーブル３０に記録された設定エリア情報３３、３４の中から、起動時位置情報が示す位置が含まれる選択エリア情報（設定エリア情報３３または設定エリア情報３４）を選択し、設定マップテーブル３０に記録された設定アンテナ情報３１、３２が示すアンテナのうちの、選択エリア情報に対応するアンテナ（ホイップアンテナ２またはイヤホンアンテナ３）に切り換えるように切換部６を制御する。すなわち、切換部６は、最初に使用するアンテナとして、選択エリア情報に対応するアンテナに切り換える。このように、第１実施形態に係る地上デジタル放送受信機１では、水平偏波／垂直偏波で送信された無線信号を受信するときに有利なアンテナとそのアンテナが水平偏波／垂直偏波で送信された無線信号を受信することが可能なエリアとを示す情報が記録された設定マップテーブル３０を参照することにより、起動時位置情報が示す位置が、水平偏波で送信された無線信号を受信することが可能なエリアに含まれている場合、水平偏波に有利なホイップアンテナ２に切り換え、その位置が、垂直偏波で送信された無線信号を受信することが可能なエリアに含まれている場合、垂直偏波に有利なイヤホンアンテナ３に切り換えることができる。
【００４７】
また、第１実施形態に係る地上デジタル放送受信機１では、切換部６が切り換えたアンテナ（ホイップアンテナ２またはイヤホンアンテナ３）により受信された無線信号から視聴者の所望のチャンネルを選択可能な１つのチューナモジュール７をさらに具備している。チューナモジュールが１つしかない地上デジタル放送受信機では、複数のアンテナが無線信号を受信したときの受信品質を確認するために、各アンテナを切り換える必要があり、アンテナを切り換える分だけ無線信号を受信するときの所要時間が長くなってしまう。一方、第１実施形態に係る地上デジタル放送受信機１では、チューナモジュールが１つしかない地上デジタル放送受信機に適用されるが、最初に使用するアンテナを位置情報に応じて切り換えることにより、無線信号を受信するときの所要時間を従来よりも短縮することができる。
【００４８】
［第２実施形態］
図５は、本発明の第２実施形態に係る地上デジタル放送受信機１の構成を示す概略ブロック図である。第２実施形態では第１実施形態からの変更点のみ説明する。
【００４９】
制御部１０は、第１実施形態の構成に対して、さらに、実績マップ記録部２４を備えている。また、メモリ９は、第１実施形態における設定マップテーブル３０に代えて、実績マップテーブル４０を備えている。
【００５０】
図６は、本発明の第２実施形態に係る地上デジタル放送受信機１の実績マップテーブル４０に記録される情報の一例を示す図である。図７は、図６に示す情報を模式的に表した図である。図８は、図７のエリア重複部分の拡大図である。図９は、本発明の第２実施形態に係る地上デジタル放送受信機１の動作（アンテナ切り換え方法）として、視聴者が番組を視聴するときの動作を示すフローチャートである。図１０は、本発明の第２実施形態に係る地上デジタル放送受信機１の動作（アンテナ切り換え方法）として、視聴者が番組を視聴しているときの動作を示すフローチャートである。
【００５１】
図９に示されるように、視聴者は、番組を視聴するときに、起動イベント操作部１５を操作して起動イベントを発生させる（受信起動）。
【００５２】
第１アンテナ切換制御部２１は、起動イベントが発生したときに位置取得部１２により取得された位置情報である起動時位置情報を入力する（ステップＳ１）。このとき、第１アンテナ切換制御部２１は、実績マップテーブル４０を参照し、実績マップテーブル４０に実績位置情報が記録されているか否かを確認する（ステップＳ１１）。
【００５３】
実績マップテーブル４０に実績位置情報が記録されていない場合（ステップＳ１１−Ｎｏ）、後述するように実績マップテーブル４０を構築するために、まず、第１アンテナ切換制御部２１は、ホイップアンテナ２、イヤホンアンテナ３のうちの、予め設定されたアンテナ（例えばホイップアンテナ２）に切り換えるように切換部６を制御する（ステップＳ１６）。この場合、ステップＳ３以降が行われ、受信品質が良好である場合（ステップＳ８−Ｙｅｓ）、受信状態に移行する。
【００５４】
図１０に示されるように、実績マップ記録部２４は、使用中のアンテナ（ホイップアンテナ２またはイヤホンアンテナ３）が無線信号を受信したときの受信品質が良好である場合、そのときに位置取得部１２により取得された位置情報である実績位置情報を入力し（ステップＳ２１）、使用中のアンテナを確認し（ステップＳ２２）、使用中のアンテナを示す実績アンテナ情報と、実績位置情報と、受信品質の値とを実績マップテーブル４０に記録する（ステップＳ２３）。
【００５５】
ここで、ステップＳ２２において使用中のアンテナがホイップアンテナ２である場合、ステップＳ２３において、実績マップ記録部２４は、そのときのホイップアンテナ２を示す実績アンテナ情報４１と、そのときの実績位置情報である実績位置情報４３と、そのときの受信品質の値である受信品質値４４とを対応付けて実績マップテーブル４０に記録する（図６参照）。この場合、実績アンテナ情報４１に対応付けられた実績位置情報４３（実績位置情報４３−１）は、送信局１０１から水平偏波で送信された無線信号をホイップアンテナ２により受信したときに有利な位置を示している（図７参照）。
【００５６】
ステップＳ２２において使用中のアンテナがイヤホンアンテナ３である場合、ステップＳ２３において、実績マップ記録部２４は、そのときのイヤホンアンテナ３を示す実績アンテナ情報４２と、そのときの実績位置情報である実績位置情報４３と、そのときの受信品質の値である受信品質値４４とを対応付けて実績マップテーブル４０に記録する（図６参照）。この場合、実績アンテナ情報４２に対応付けられた実績位置情報４３（実績位置情報４３−２）は、送信局１０２から垂直偏波で送信された無線信号をイヤホンアンテナ３により受信したときに有利な位置を示している（図７参照）。
【００５７】
実績マップテーブル４０には同一の位置を示す実績位置情報４３が記録されることも考えられる。この場合、ステップＳ２１〜Ｓ２３において、その位置で受信品質値４４が最良であるときの実績アンテナ情報（実績アンテナ情報４１または実績アンテナ情報４２）と実績位置情報４３（実績位置情報４３−１または実績位置情報４３−２）と受信品質値４４とが実績マップテーブル４０に記録される。
【００５８】
図９に示されるように、再度、起動イベントが発生し（受信起動）、第１アンテナ切換制御部２１が起動時位置情報を入力する（ステップＳ１）。この場合、第１アンテナ切換制御部２１は、実績位置情報が記録されている実績マップテーブル４０を参照する（ステップＳ１１−Ｙｅｓ）。
【００５９】
第１アンテナ切換制御部２１は、実績マップテーブル４０に記録された実績位置情報４３の中から、起動時位置情報が示す位置に最も近い位置を示す実績位置情報４３を選択する。ここで、起動時位置情報が示す位置を現在位置５１とし、その現在位置５１に最も近い位置を最短実績位置５２とする（図８参照）。すなわち、第１アンテナ切換制御部２１は、実績マップテーブル４０に記録された実績位置情報４３の中から、最短実績位置５２を示す実績位置情報４３を選択する（ステップＳ１２）。
【００６０】
第１アンテナ切換制御部２１は、最短実績位置５２を示す実績位置情報４３を選択したときに、起動時位置情報が示す現在位置５１と上記位置最短実績位置５２との間の距離である算出距離を算出する（ステップＳ１３）。第１アンテナ切換制御部２１は、算出距離が設定距離以下であるか否かを確認する（ステップＳ１４）。
【００６１】
そこで、算出距離が設定距離以下である場合（ステップＳ１４−Ｙｅｓ）、第１アンテナ切換制御部２１は、実績マップテーブル４０に記録された実績アンテナ情報４１、４２が示すアンテナのうちの、最短実績位置５２を示す実績位置情報４３に対応するアンテナに切り換えるように切換部６を制御する（ステップＳ１５）。
【００６２】
ステップＳ１５において、最短実績位置５２を示す実績位置情報４３が実績位置情報４３−１（図７参照）である場合、第１アンテナ切換制御部２１は、実績マップテーブル４０に記録された実績アンテナ情報４１、４２が示すアンテナのうちの、実績位置情報４３−１に対応するホイップアンテナ２に切り換えるように切換部６を制御する。すなわち、切換部６は、最初に使用するアンテナとして、ホイップアンテナ２に切り換える。最短実績位置５２を示す実績位置情報４３が実績位置情報４３−２（図７参照）である場合、実績マップテーブル４０に記録された実績アンテナ情報４１、４２が示すアンテナのうちの、実績位置情報４３−２に対応するイヤホンアンテナ３に切り換えるように切換部６を制御する。すなわち、切換部６は、最初に使用するアンテナとして、イヤホンアンテナ３に切り換える。ステップＳ１５の後、ステップＳ３以降が行われる。
【００６３】
一方、算出距離が設定距離よりも長い場合（ステップＳ１４−Ｎｏ）、第１アンテナ切換制御部２１は、ホイップアンテナ２、イヤホンアンテナ３のうちの、予め設定されたアンテナ（例えばホイップアンテナ２）に切り換えるように切換部６を制御する（ステップＳ１６）。すなわち、切換部６は、最初に使用するアンテナとして、ホイップアンテナ２に切り換える。ステップＳ１６の後、ステップＳ３以降が行われる。
【００６４】
以上の説明により、第２実施形態に係る地上デジタル放送受信機１では、第１アンテナ切換制御部２１は、起動イベントが発生したときに位置取得部１２により取得された位置情報である起動時位置情報を入力し、実績マップテーブル４０を参照する。実績マップテーブル４０には、使用中のアンテナ（ホイップアンテナ２またはイヤホンアンテナ３）を示す実績アンテナ情報（実績アンテナ情報４１または実績アンテナ情報４２）と、使用中のアンテナ（ホイップアンテナ２またはイヤホンアンテナ３）が無線信号を受信したときに位置取得部１２により取得された位置情報である実績位置情報４３（実績位置情報４３−１または実績位置情報４３−２）とが記録される。第１アンテナ切換制御部２１は、実績マップテーブル４０に記録された実績位置情報４３の中から、起動時位置情報が示す位置（現在位置５１）に最も近い位置（最短実績位置５２）を示す実績位置情報４３（実績位置情報４３−１または実績位置情報４３−２）を選択し、実績マップテーブル４０に記録された実績アンテナ情報（実績アンテナ情報４１または実績アンテナ情報４２）が示すアンテナのうちの、上記実績位置情報４３（実績位置情報４３−１または実績位置情報４３−２）に対応するアンテナ（ホイップアンテナ２またはイヤホンアンテナ３）に切り換えるように切換部６を制御する。このように、第２実施形態に係る地上デジタル放送受信機１では、受信品質が良好であるときの使用中のアンテナと位置情報とが実績マップテーブル４０に記録されることにより、起動時位置情報が示す位置に最も近い位置で使用され、かつ、水平偏波／垂直偏波に有利なアンテナに切り換えることができる。
【００６５】
また、第２実施形態に係る地上デジタル放送受信機１では、第１アンテナ切換制御部２１は、実績マップテーブル４０に記録された実績位置情報４３の中から、起動時位置情報が示す位置（現在位置５１）に最も近い位置（最短実績位置５２）である実績位置情報４３（実績位置情報４３−１または実績位置情報４３−２）を選択したときに、現在位置５１と最短実績位置５２との間の距離である算出距離を算出する。そこで、算出距離が設定距離以下である場合、第１アンテナ切換制御部２１は、実績マップテーブル４０に記録された実績アンテナ情報（実績アンテナ情報４１または実績アンテナ情報４２）が示すアンテナのうちの、上記実績位置情報４３（実績位置情報４３−１または実績位置情報４３−２）に対応するアンテナ（ホイップアンテナ２またはイヤホンアンテナ３）に切り換えるように切換部６を制御する。一方、算出距離が設定距離よりも長い場合、第１アンテナ切換制御部２１は、複数のアンテナ（ホイップアンテナ２またはイヤホンアンテナ３）のうちの、予め設定されたアンテナ（ホイップアンテナ２）に切り換えるように切換部６を制御する。このように、第２実施形態に係る地上デジタル放送受信機１では、起動時位置情報が示す位置に最も近い位置から算出される算出距離が設定距離よりも長い場合、水平偏波／垂直偏波で送信された無線信号を受信することが可能なエリアから外れてしまう可能性がある。したがって、第２実施形態に係る地上デジタル放送受信機１では、算出距離が設定距離よりも長い場合、ホイップアンテナ２に切り換えることが好ましい。
【００６６】
［第３実施形態］
図１１は、本発明の第３実施形態に係る地上デジタル放送受信機１の構成を示す概略ブロック図である。第３実施形態では第２実施形態からの変更点のみ説明する。
【００６７】
メモリ９は、第２実施形態の構成に対して、さらに、第１実施形態における設定マップテーブル３０を備えることができる。すなわち、メモリ９は、第１実施形態における設定マップテーブル３０と、第２実施形態における実績マップテーブル４０と、を備えている。
【００６８】
図１２は、本発明の第３実施形態に係る地上デジタル放送受信機１の動作（アンテナ切り換え方法）として、視聴者が番組を視聴するときの動作を示すフローチャートである。
【００６９】
図１２に示されるように、起動イベントが発生した場合（受信起動）、第１アンテナ切換制御部２１は起動時位置情報を入力する（ステップＳ１）。
【００７０】
第１アンテナ切換制御部２１は実績マップテーブル４０を参照し、その結果、実績マップテーブル４０に実績位置情報が記録されていない（ステップＳ１１−Ｎｏ）。この場合、第１アンテナ切換制御部２１は、後述のステップＳ３１を行う。
【００７１】
第１アンテナ切換制御部２１が実績マップテーブル４０を参照した結果、実績マップテーブル４０に実績位置情報が記録されている（ステップＳ１１−Ｙｅｓ）。この場合、第１アンテナ切換制御部２１は、実績マップテーブル４０に記録された実績位置情報４３の中から、起動時位置情報が示す位置（現在位置５１）に最も近い位置（最短実績位置５２）を示す実績位置情報４３を選択し（ステップＳ１２）、現在位置５１と位置最短実績位置５２との間の算出距離を算出する（ステップＳ１３）。上記算出距離が設定距離よりも長い場合（ステップＳ１４−Ｎｏ）、第１アンテナ切換制御部２１は、後述のステップＳ３１を行う。
【００７２】
そこで、設定マップテーブル３０がない場合（ステップＳ３１−Ｎｏ）、第１アンテナ切換制御部２１は、第２実施形態と同じ処理を行う。すなわち、第１アンテナ切換制御部２１は、最初に使用するアンテナとして、ホイップアンテナ２、イヤホンアンテナ３のうちの、予め設定されたアンテナ（例えばホイップアンテナ２）に切り換えるように切換部６を制御する（ステップＳ１６）。すなわち、切換部６は、最初に使用するアンテナとして、ホイップアンテナ２に切り換える。ステップＳ１６の後、ステップＳ３以降が行われる。
【００７３】
一方、設定マップテーブル３０がある場合（ステップＳ３１−Ｙｅｓ）、第１アンテナ切換制御部２１は、第１実施形態と同じ処理を行う。すなわち、第１アンテナ切換制御部２１は、設定マップテーブル３０を参照し、設定マップテーブル３０に記録された設定エリア情報３３、３４の中から、起動時位置情報が示す位置（現在位置５１）が含まれる選択エリア情報を選択し、設定マップテーブル３０に記録された設定アンテナ情報３１、３２が示すアンテナのうちの、選択エリア情報に対応するアンテナに切り換えるように切換部６を制御する（ステップＳ２）。すなわち、切換部６は、最初に使用するアンテナとして、選択エリア情報に対応するアンテナに切り換える。ステップＳ２の後、ステップＳ３以降が行われる。
【００７４】
以上の説明により、第３実施形態に係る地上デジタル放送受信機１では、第１アンテナ切換制御部２１は、実績マップテーブル４０を参照し、実績マップテーブル４０に記録された実績位置情報４３の中から、起動時位置情報が示す位置（現在位置５１）に最も近い位置（最短実績位置５２）を示す実績位置情報４３（実績位置情報４３−１または実績位置情報４３−２）を選択して、起動時位置情報が示す位置（現在位置５１）と上記実績位置情報４３が示す位置（最短実績位置５２）との間の距離である算出距離を算出する。このときに、算出距離が設定距離よりも長い場合、第１アンテナ切換制御部２１は、設定マップテーブル３０を参照し、設定マップテーブル３０に記録された設定エリア情報３３、３４の中から、起動時位置情報が示す位置（現在位置５１）が含まれる選択エリア情報（設定エリア情報３３または設定エリア情報３４）を選択し、設定マップテーブル３０に記録された設定アンテナ情報３１、３２が示すアンテナのうちの、選択エリア情報（設定エリア情報３３または設定エリア情報３４）に対応するアンテナ（ホイップアンテナ２またはイヤホンアンテナ３）に切り換えるように切換部６を制御する。このように、第３実施形態に係る地上デジタル放送受信機１では、起動時位置情報が示す位置に最も近い位置から算出される算出距離が設定距離以下である場合、実績マップテーブル４０を参照し、算出距離が設定距離よりも長い場合、設定マップテーブル３０を参照することにより、第１実施形態と第２実施形態との効果を実現する。
【００７５】
なお、第１実施形態に係る地上デジタル放送受信機１において、ホイップアンテナ２に関する情報（設定アンテナ情報３１、設定エリア情報３３）と、イヤホンアンテナ３に関する情報（設定アンテナ情報３２、設定エリア情報３４）との両方を設定マップテーブル３０に記録しているが、例えば、イヤホンアンテナ３に関する情報（設定アンテナ情報３２、設定エリア情報３４）だけを設定マップテーブル３０に記録してもよい。
【００７６】
この場合、ステップＳ１において、第１アンテナ切換制御部２１は、起動イベントが発生したときに位置取得部１２により取得された位置情報である起動時位置情報を入力する。ステップＳ２において、第１アンテナ切換制御部２１は、設定マップテーブル３０を参照し、起動時位置情報が示す位置が、設定マップテーブル３０に記録された設定エリア情報３４が示すエリアに含まれる場合、設定マップテーブル３０に記録された設定アンテナ情報３２が示すイヤホンアンテナ３に切り換えるように切換部６を制御する。一方、第１アンテナ切換制御部２１は、設定マップテーブル３０を参照した結果、起動時位置情報が示す位置が、設定マップテーブル３０に記録された設定エリア情報３４が示すエリアに含まれない場合、予め設定されたアンテナ（ホイップアンテナ２）に切り換えるように切換部６を制御する。
【００７７】
また、第１〜第３実施形態に係る地上デジタル放送受信機１では、複数のアンテナ２、３のうちのアンテナ２はホイップアンテナであるが、これに限定されない。例えば、ホイップアンテナ以外に内蔵アンテナやロッドアンテナでもよい。本発明では、偏波に対するアンテナ特性に差があれば、どのアンテナでも適応可能である。
【００７８】
また、第１、第３実施形態に係る地上デジタル放送受信機１では、設定マップテーブル３０を具備しているが、これに限定されない。例えば、設定マップテーブル３０は、地上デジタル放送受信機１と通信可能なサーバに設けられていてもよい。この場合、ステップＳ２において、第１アンテナ切換制御部２１は、サーバと通信して設定マップテーブル３０を参照する。また、設定マップテーブル３０は、インターネット上に設けられていてもよい。この場合、ステップＳ２において、第１アンテナ切換制御部２１は、インターネット上から設定マップテーブル３０をダウンロードして参照する。また、設定マップテーブル３０は、地上デジタル放送受信機１に脱着可能なメモリカードに格納されてもよい。この場合、ステップＳ２において、第１アンテナ切換制御部２１は、メモリカードに格納された設定マップテーブル３０を参照する。
【００７９】
また、第２、第３実施形態に係る地上デジタル放送受信機１では、実績マップテーブル４０を具備しているが、これに限定されない。例えば、実績マップテーブル４０は、地上デジタル放送受信機１と通信可能なサーバに設けられていてもよい。この場合、ステップＳ２３において、実績マップ記録部２４は、サーバと通信して、実績アンテナ情報と実績位置情報と受信品質の値とを実績マップテーブル４０に記録することにより、実績マップテーブル４０を構築し、ステップＳ１１において、第１アンテナ切換制御部２１は、サーバと通信して実績マップテーブル４０を参照する。また、実績マップテーブル４０は、インターネット上に設けられていてもよい。この場合、ステップＳ２３において、実績マップ記録部２４は、インターネット上で実績マップテーブル４０を構築し、ステップＳ１１において、第１アンテナ切換制御部２１は、インターネット上から設定マップテーブル３０をダウンロードして参照する。また、実績マップテーブル４０は、地上デジタル放送受信機１に脱着可能なメモリカードに格納されてもよい。この場合、ステップＳ２３において、実績マップ記録部２４は、メモリカードにアクセスして実績マップテーブル４０を構築し、ステップＳ１１において、第１アンテナ切換制御部２１は、メモリカードに格納された実績マップテーブル４０を参照する。
【００８０】
また、第２、第３実施形態に係る地上デジタル放送受信機１では、実績マップ記録部２４を具備しているが、これに限定されない。例えば、実績マップ記録部２４は、地上デジタル放送受信機１と通信可能なサーバに設けられていてもよい。この場合、ステップＳ２１〜Ｓ２３において、実績マップ記録部２４は、地上デジタル放送受信機１と通信して、実績アンテナ情報と実績位置情報と受信品質の値とを取得し、実績マップテーブル４０に記録することにより、実績マップテーブル４０を構築する。
【００８１】
以上、この発明の実施形態について図面を参照して詳述してきたが、具体的な構成は実施形態に限られるものではなく、この発明の要旨を逸脱しない範囲の設計等も特許請求の範囲に含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【００８２】
本実施形態に係る地上デジタル放送受信機１で動作するコンピュータプログラム（以下、プログラムと称する）は、本発明に関わる上記実施形態の機能を実現するように、ＣＰＵ等を制御するプログラム（コンピュータを機能させるプログラム）である。そして、これら装置で取り扱われる情報は、その処理的に一時的にＲＡＭに蓄積され、その後、各種ＲＯＭやＨＤＤに格納され、必要に応じてＣＰＵによって読み出し、修正・書き込みが行われる。プログラムを格納する記録媒体としては、半導体媒体（例えば、ＲＯＭ、不揮発性メモリカード等）、光記憶媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上記した実施形態の機能が実現されるだけでなく、そのプログラムの指示に基づき、オペレーティングシステムあるいは他のアプリケーションプログラム等と共同して処理することにより、本発明の機能が実現される場合もある。
【００８３】
また市場に流通させる場合には、可搬型の記録媒体にプログラムを格納して流通させたり、インターネット等のネットワークを介して接続されたサーバコンピュータに転送したりすることができる。この場合、サーバコンピュータの記録装置も本発明に含まれる。また、上述した実施形態における送信局装置および受信局装置の一部、または全部を典型機能ブロックは個別にプロセッサ化してもよいし、一部、または全部を集積してプロセッサ化してもよい。また、集積回路化の手法はＬＳＩに限らず専用回路、または汎用プロセッサで実現しても良い。また、半導体技術の進歩によりＬＳＩに代替する集積回路化の技術が実現した場合、該当技術による集積回路を用いることも可能である。
【符号の説明】
【００８４】
１  地上デジタル放送受信機
２  ホイップアンテナ
３  イヤホンアンテナ
４  コネクタ
５  コネクタ
６  切換部
７  チューナモジュール
８  番組出力部
９  メモリ
１０  制御部
１１  操作部
１２  位置取得部
１３  表示部
１４  スピーカ
１５  起動イベント操作部
２１  第１アンテナ切換制御部
２２  受信品質確認部
２３  第２アンテナ切換制御部
２４  実績マップ記録部
３０  設定マップテーブル
３１  設定アンテナ情報
３２  設定アンテナ情報
３３  設定エリア情報
３４  設定エリア情報
４０  実績マップテーブル
４１  実績アンテナ情報
４２  実績アンテナ情報
４３  実績位置情報
４３−１  実績位置情報
４３−２  実績位置情報
４４  受信品質値
５０  エリア重複部分
５１  現在位置
５２  最短実績位置
１０１  送信局
１０２  送信局
【図１】
2014060468.tif 000003
【図２】
2014060468.tif 000004
【図３】
2014060468.tif 000005
【図４】
2014060468.tif 000006
【図５】
2014060468.tif 000007
【図６】
2014060468.tif 000008
【図７】
2014060468.tif 000009
【図８】
2014060468.tif 000010
【図９】
2014060468.tif 000011
【図１０】
2014060468.tif 000012
【図１１】
2014060468.tif 000013
【図１２】
2014060468.tif 000014